(57)【特許請求の範囲】
【請求項１】
ケースの上面に操作ハンドルが設けられ、前記ケースの左右両端部の一方側に電線を差込接続する複数の速結端子が設けられた回路遮断器において、前記速結端子の電線挿入孔に電線を挿入して接続する際に前記電線の先端により押動されて電線差込方向と反対方向に付勢する第１弾性部材の付勢力に抗して電線差込方向にスライドする第１スライド部材と、該第１スライド部材に係止して略直交するように配置された上、前記操作ハンドル方向に第２弾性部材の付勢力により付勢されてスライド可能に設けられ、全ての前記第１スライド部材のスライドにより係止が解除して前記第２弾性部材の付勢力により前記操作ハンドル方向にスライドする第２スライド部材と、該第２スライド部材のスライドに連動して前記操作ハンドルをオフ位置にロックした状態からロックを解除し、前記ケースの上面から突出して表示するロック部材とで成る電線接続確認機構を備えたことを特徴とする回路遮断器。
【請求項２】
前記回路遮断器はケースの一方側の端面の上下方向に３極の速結端子を備え、３極の速結端子の電線挿入孔のうち何れか１極の速結端子の電線挿入孔を任意に覆うブラインドカバーを前記ケースの端面に沿ってスライド可能に設けて成り、前記第１スライド部材は前記ケースの電線挿入孔が設けられた面から突出するように設け、前記ブラインドカバーをスライドさせて何れか１極の速結端子の電線挿入孔を覆ったときに前記第１スライド部材の突出部をケース内に押し込んで前記第２スライド部材との係止を解除するようにしたことを特徴とする請求項１に記載の回路遮断器。
【発明の詳細な説明】
【技術分野】
【０００１】
本発明は、回路遮断器の速結端子に接続される電線の接続完了を確認するための構造に関する。
【背景技術】
【０００２】
従来、回路遮断器の速結端子に接続される電線の接続完了を確認するものとしては、例えば特許文献１に記載のものがある。この回路遮断器は、過電流などの電路の異常時に引き外し装置（１５）の引き外し動作を受けて開閉機構部（８）を作動させる掛合片（１１）を負荷側端子（４）の電線挿入方向と反対方向にバネ（２０）に付勢された状態で電線（１９）の差込に連動してスライドするように設けている。負荷側端子（４）に電線（１９）が未挿入の場合はバネ（２０）によって掛合片（１１）が負荷側端子（４）側に移動することによって掛合片（１１）の係合凹部（１１ｂ）に開閉機構部（８）のトリップアーム（１２）が係合しないようにし、これにより操作ハンドル（９）をオン操作しても開閉機構部（８）が連動せず、操作ハンドル（９）もオン位置に止まらないのでオンできないようになっている。そして、速結端子（４）に電線（１９）が所定量差し込まれた場合は、電線（１９）の先端が可動板（１７）を押して掛合片（１１）を開閉機構部（８）側に移動し、掛合片（１１）の係合凹部（１１ｂ）にトリップアーム（１２）が係合するようにしているので操作ハンドル（９）をオン操作すると開閉機構部（８）が連動し、操作ハンドル（９）もオン位置に止まってオンできるようになっている。このように、操作ハンドルがオンできるかどうかにより電線の接続完了を確認するようにしていた。
【０００３】
【特許文献１】特開２００６−２２１８９４号公報
【発明の開示】
【発明が解決しようとする課題】
【０００４】
従来の回路遮断器の電線差込確認構造は、ケースのハンドル操作面を上側、負荷側端子を右側とした場合に掛合片はケース内の上下前後にスペースをとる上、電線の差込に連動して掛合片が左右方向に移動するためのスペースが必要になるのでケースが大型化してしまう欠点があった。また、電線の接続完了は操作ハンドルがオンできるかどうかだけで判断しなければならないので故障と勘違いする虞もあり、わかりづらいという欠点があった。
【課題を解決するための手段】
【０００５】
本発明は、請求項１に記載の発明によれば、ケースの上面に操作ハンドルが設けられ、ケースの左右両端部の一方側に電線を差込接続する複数の速結端子が設けられた回路遮断器において、速結端子の電線挿入孔に電線を挿入して接続する際に電線の先端により押動されて電線差込方向と反対方向に付勢する第１弾性部材の付勢力に抗して電線差込方向にスライドする第１スライド部材と、第１スライド部材に係止して略直交するように配置された上、操作ハンドル方向に第２弾性部材の付勢力により付勢されてスライド可能に設けられ、全ての第１スライド部材のスライドにより係止が解除して第２弾性部材の付勢力により操作ハンドル方向にスライドする第２スライド部材と、第２スライド部材のスライドに連動して操作ハンドルをオフ位置にロックした状態からロックを解除し、ケースの上面から突出して表示するロック部材とで成る電線接続確認機構を備えたことを特徴とする。
【０００６】
請求項２に記載の発明によれば、回路遮断器はケースの一方側の端面の上下方向に３極の速結端子を備え、３極の速結端子の電線挿入孔のうち何れか１極の速結端子の電線挿入孔を任意に覆うブラインドカバーをケースの端面に沿ってスライド可能に設けて成り、第１スライド部材はケースの電線挿入孔が設けられた面から突出するように設け、ブラインドカバーをスライドさせて何れか１極の速結端子の電線挿入孔を覆ったときに第１スライド部材の突出部をケース内に押し込んで第２スライド部材との係止を解除するようにしたことを特徴とする。
【発明の効果】
【０００７】
本発明の請求項１に記載の発明によれば、電線接続確認機構がコンパクトで収容スペースをとらないのでケースを小型化することができ、電線の接続確認を操作ハンドルのロック状態と、ロック部材による表示の２つの手段により確認できるのでわかりやすいという効果がある。
【０００８】
請求項２に記載の発明によれば、請求項１に記載の発明の効果に加えて、３極の速結端子を備えた回路遮断器において、任意の２極の速結端子を選択して電線を接続する場合に電線が接続されない速結端子の第１スライド部材と第２スライド部材の係止を容易に解除することができるという効果がある。
【発明を実施するための最良の形態】
【０００９】
回路遮断器は速結端子の電線挿入孔に電線を挿入して接続する際に電線の先端により押動されて電線差込方向と反対方向に付勢する第１弾性部材の付勢力に抗して電線差込方向にスライドする第１スライド部材と、第１スライド部材に係止して略直交するように配置された上、操作ハンドル方向に第２弾性部材の付勢力により付勢されてスライド可能に設けられ、全ての第１スライド部材のスライドにより係止が解除して第２弾性部材の付勢力により操作ハンドル方向にスライドする第２スライド部材と、第２スライド部材のスライドに連動して操作ハンドルをオフ位置にロックした状態からロックを解除し、ケースの上面から突出して表示するロック部材とで電線接続確認機構を構成した。
【実施例１】
【００１０】
本発明に係る回路遮断器の実施例１を図１及び図２の添付図面に基づいて説明する。
【００１１】
回路遮断器１は、ケース２の上面に操作ハンドル３が設けられ、ケース２の左右両端部の一方側に電線４を差込接続する速結端子５が設けられ、ケース２の他方側の端部に導電バー（図示せず）を接続するためのプラグイン端子６が設けられ、速結端子５とプラグイン端子６間は電路７で接続されて、電路７の途中に開閉接点８が設けられている。開閉接点８は開閉機構部９を介して電路７の異常時に引き外し機構１０の動作により開路するとともに、操作ハンドル３の操作により開閉自在にされている。
【００１２】
速結端子５が設けられるケース２の一方側の端部は傾斜面に形成され、傾斜面の上下方向に１つの中性極の速結端子５ａと２つの電圧極の速結端子５ｂ，５ｃの合計３極の速結端子５の電線挿入孔１１が所定間隔を有して設けられ、電線挿入孔１１の内側には電路７と電気的に接続された金属製の端子座１２が設けられ、電線４を端子座１２に押圧する押圧片１３ａと電線４に鎖錠する鎖錠片１３ｂから成る鎖錠バネ１３が端子座１２に収容されて速結端子５を構成している。そして、鎖錠バネ１３による電線４の鎖錠を解除するための解除レバー１４がケース２の上面に設けられ、解除レバー１４の操作により鎖錠バネ１３の鎖錠片１３ｂを押し下げて電線４の鎖錠を解除するように解除バー１５が解除レバー１４に連結して設けられている。
【００１３】
また、速結端子５には電線接続確認機構１６が設けられる。電線接続確認機構１６は電線挿入孔１１に電線４を挿入して接続する際に電線４の先端により押動される当接片１７ａと電線差込方向にスライドする際にガイドとなるガイド片１７ｂとで略Ｌ字状に形成された第１スライド部材１７と、第１スライド部材１７を電線差込方向と反対方向に付勢する第１弾性部材１８と、第１スライド部材１７の当接片１７ａが係止する係止部１９ａが形成され、第１スライド部材１７と略直交するように配置されて第１スライド部材１７のスライドにより当接片１７ａと係止部１９ａの係止が解除して操作ハンドル方向にスライド可能に設けられた長板状の第２スライド部材１９と、第２スライド部材１９を操作ハンドル方向に付勢する第２弾性部材２０と、第２スライド部材１９の操作ハンドル方向のスライドに連動して操作ハンドル３をオフ位置にロックした状態からロックを解除するロック部材２１とで成っている。ロック部材２１は操作ハンドル３をロックした状態では先端がケース２の上面と略面一になり、操作ハンドル３のロックを解除した状態では先端がケース２の上面から突出することによりロックの状態を表示するようになっている。なお、第１弾性部材１８及び第２弾性部材２０としてはコイルバネのほか、板バネやゴム材料などが用いられる。
【００１４】
速結端子５への電線４の接続は、先端から所定量の被覆を剥いだ電線４を電線挿入孔１１に差し込んで行う。電線挿入孔１１に挿入された電線４は鎖錠バネ１３の鎖錠片１３ｂと押圧片１３ａを順に越えて第１スライド部材１７の当接片１７ａに当接し、更に電線４を差し込むと第１弾性部材１８の付勢力に抗して電線４の先端が第１スライド部材１７の当接片１７ａを押動し、第１スライド部材１７のガイド片１７ｂがケース２の内側面に形成された第１ガイド溝２２に沿ってスライドし、第１スライド部材１７がスライドすることにより第１スライド部材１７の押圧片１７ａと第２スライド部材１９の係止部１９ａの係止が解除する。電線挿入孔１１に電線４が所定量差し込まれると第１スライド部材１７の当接片１７ａがケース２に形成された壁に当たって電線４が押し込めなくなり、電線４の接続が完了したことがわかるようになっている。電線４は鎖錠バネ１３の鎖錠片１３ｂが電線４に食い込んで引き抜けないように鎖錠されるとともに、押圧片１３ｂが電線４を端子座１２に押圧して電線４は速結端子５に接続される。そして、３つの速結端子全てに電線４の接続が完了して３箇所の当接片１７ａと係止部１９ａの係止が解除すると、第２弾性部材２０の付勢力により第２スライド部材１９がケース２の内側面に形成された第２ガイド溝に沿って操作ハンドル方向にスライドする。第２スライド部材１９が上方にスライドすることによりロック部材２１は押し上げられ、ロック部材２１による操作ハンドル３のロックが解除するので操作ハンドル３をオンできるようになる。こうして操作ハンドル３のロックが解除し、ロック部材２１がケース２の上面から突出して表示することで速結端子５への電線４の接続が完了したことを確認することができ、電線４の接続が不完全なまま使用されることによる発熱を防止できるので安全性が向上する。
【００１５】
速結端子５から電線４を抜き取るにはケース２の上部に設けられた解除レバー１４の先端を引き上げることにより行う。解除レバー１４の先端を引き上げると解除レバー１４が軸を中心に回動して解除レバー１４の他端が解除バー１５を押し下げる。解除バー１５は速結端子５の鎖錠バネ１３の鎖錠片１３ｂを撓ませ、電線４の接続が解除するので電線４を抜き取ることができる。
【００１６】
電線４を一本でも抜き取ると、第１スライド部材１７が第１弾性部材１８の付勢力により押し出され、第１スライド部材１７の当接片１７ａの傾斜面が第２スライド部材１９の係止部１９ａの傾斜面を押圧して第２スライド部材１９を第２弾性部材２０の付勢力に抗して押し下げ、第１スライド部材１７の当接片１７ａと第２スライド部材１９の係止部１９ａが係止状態に保持される。第２スライド部材１９が下方向に移動することにより、ロック部材２１も引き下げられ、ロック部材２１の先端がケース２の上面と略面一になってロックしたことを表示する。
【実施例２】
【００１７】
本発明に係る回路遮断器の実施例２を図３及び図４の添付図面に基づいて説明する。尚、実施例１と同一部分は同一符号を付して説明を省略する。
【００１８】
実施例１の回路遮断器は３極の速結端子全てに電線を接続して用いたが、本実施例の回路遮断器では３極の速結端子のうち、任意の２極の速結端子に電線を接続して用いる場合について説明する。
【００１９】
回路遮断器１は３極の速結端子５の電線挿入孔１１のうち何れか１極の速結端子５の電線挿入孔１１を任意に覆うブラインドカバー２４がケース２の端面にスライド可能に設けられている。
【００２０】
また、第１スライド部材１７のガイド片１７ｂの先端がケース２の電線挿入孔１１の近傍から突出するように設けられ、突出部１７ｃはブラインドカバー２４のスライド方向に傾斜するように形成されている。
【００２１】
これにより、３極の速結端子５のうち、任意の２極の速結端子５に電線４を接続する場合は、電線４を接続しない極の速結端子５の電線挿入孔１１を塞ぐようにブラインドカバー２４をスライドさせることでブラインドカバー２４が第１スライド部材１７の先端をケース２内に押し込むので、第１スライド部材１７の当接片１７ａと第２スライド部材１９との係止部１９ａの係止が解除するようになっている。
【００２２】
このため、ブラインドカバー２４により塞がれていない２極の速結端子５の電線挿入孔１１に電線４を挿入して接続することにより、残り２箇所の第１スライド部材１７の当接片１７ａと第２スライド部材１９の係止部１９ａとの係止も解除し、３箇所全ての当接片１７ａと係止部１９ａの係止が解除するので、第２弾性部材２０の付勢力により第２スライド部材１９が操作ハンドル方向にスライドし、ロック部材２１が押し上げられて操作ハンドル３のロックが解除し、操作ハンドル３をオンできるようになるとともにロック部材２１の先端がケース２から突出して電線４の接続が完了したことを表示する。
【図面の簡単な説明】
【００２３】
【図１】本発明の実施例１に係る回路遮断器を示し、速結端子に電線を接続する前の状態の断面図である。
【図２】本発明の実施例１に係る回路遮断器を示し、速結端子に電線を接続した状態の断面図である。
【図３】本発明の実施例２に係る回路遮断器を示し、速結端子に電線を接続する前の状態の断面図である。
【図４】本発明の実施例２に係る回路遮断器を示し、速結端子に電線を接続した状態の断面図である。
【符号の説明】
【００２４】
１    回路遮断器
２    ケース
３    操作ハンドル
４    電線
５    速結端子
６    プラグイン端子
７    電路
８    開閉接点
９    開閉機構部
１０    引き外し機構
１１    電線挿入孔
１２    端子座
１３    鎖錠バネ
１３ａ    押圧片
１３ｂ    鎖錠片
１４    解除レバー
１５    解除バー
１６    電線接続確認機構
１７    第１スライド部材
１７ａ    当接片
１７ｂ    ガイド片
１８    第１弾性部材
１９    第２スライド部材
１９ａ    係止部
２０    第２弾性部材
２１    ロック部材
２２    第１ガイド溝
２３    第２ガイド溝
２４    ブラインドカバー
【図１】
0004986293.tif 000002
【図２】
0004986293.tif 000003
【図３】
0004986293.tif 000004
【図４】
0004986293.tif 000005